(57)【要約】【課題】用紙の表面のカールを矯正すると共に給送ローラの偏摩耗を抑制する。【解決手段】プリンタは、複数の用紙Ｐを下方から支持可能な支持面１２を有する給送トレイ１１と、２つの給送ローラ８１，８２を含む給送機構とを含んでいる。支持面１２には、幅方向Ｂの中央が支持面１２から離れる方向に膨らんだ凸形状となるように用紙Ｐを湾曲させる上面１３ｂ１が形成されている。そして、上面１３ｂ１は、給送ローラ８１，８２の外周面と対向する部分に当該外周面と平行な平面部分を有する傾斜平面１３ｂ２，１３ｂ３から構成されている。【選択図】図３
2020158288.tif 000002
【特許請求の範囲】
【請求項１】
積層された複数の記録媒体を積層方向下方から支持可能な支持面を有するトレイと、
前記トレイに支持された複数の記録媒体のうち最も上方に配置された記録媒体と当接しつつ回転することで当該記録媒体を給送する給送ローラと、
前記給送ローラと当接する記録媒体の表面を上に向けた状態で、前記給送ローラによって給送されてきた記録媒体を搬送する搬送部と、
前記搬送部から搬送されてきた記録媒体の前記表面に画像を記録する記録部とを備えた記録装置において、
前記支持面には、記録媒体の給送方向と直交する幅方向の中央が前記支持面から離れる方向に膨らんだ凸形状となるように記録媒体を湾曲させる湾曲形成部が形成されており、
前記湾曲形成部は、前記給送ローラの外周面と対向する部分に当該外周面と平行な平面部分を有していることを特徴とする記録装置。
【請求項２】
前記湾曲形成部は、記録媒体を前記凸形状に湾曲させるために互いに反対方向に傾斜した２つの傾斜面を有しており、
前記傾斜面の少なくとも一部が前記平面部分であることを特徴とする請求項１に記載の記録装置。
【請求項３】
前記湾曲形成部は、前記支持面の前記幅方向の中央において前記給送方向に延在しており、
前記２つの傾斜面が、前記幅方向において、前記湾曲形成部の中央を挟んで両側に形成されており、
前記給送ローラは、前記傾斜面の前記平面部分と個別に対向するように複数設けられていることを特徴とする請求項２に記載の記録装置。
【請求項４】
一方の前記傾斜面と対向する一方の前記給送ローラの回転軸、及び、他方の前記傾斜面と対向する他方の前記給送ローラの回転軸は、互いに隣接する一端が他端よりも前記給送方向の下流側に位置していることを特徴とする請求項３に記載の記録装置。
【請求項５】
前記トレイの前記幅方向の両端部には、前記支持面に支持された記録媒体の前記幅方向の両端を案内するためのサイドガイドが形成されており、
前記サイドガイドは、前記支持面に立設された第１ガイド部と、前記第１ガイド部の内面から突出し前記支持面と離隔しつつ対向する第２ガイド部とを有しており、
前記第２ガイド部の前記支持面と対向する面は、前記幅方向において、内側に近づくに連れて前記支持面から離れるように傾斜していることを特徴とする請求項１〜４のいずれか１項に記載の記録装置。
【請求項６】
前記第２ガイド部は、前記給送方向において、前記給送ローラよりも上流に配置されていることを特徴とする請求項５に記載の記録装置。
【請求項７】
前記支持面の前記幅方向の両端部とそれぞれ対向する位置に配置された２つのサイドローラと、
前記２つのサイドローラを前記支持面に向けて付勢する付勢機構とをさらに備えていることを特徴とする請求項１〜４のいずれか１項に記載の記録装置。
【請求項８】
前記サイドローラは、前記給送方向において、前記給送ローラよりも上流に配置されていることを特徴とする請求項７に記載の記録装置。
【請求項９】
前記搬送部は、複数の搬送ローラ対と、前記複数の搬送ローラ対間に配置され、前記複数の搬送ローラ対によって記録媒体が挟持された状態において記録媒体を下方から押圧する押圧機構とを有していることを特徴とする請求項１〜８のいずれか１項に記載の記録装置。
【請求項１０】
前記給送ローラと前記搬送部との間に配置され、前記給送ローラによって給送される記録媒体を加熱する加熱機構をさらに備えていることを特徴とする請求項１〜９のいずれか１項に記載の記録装置。
【発明の詳細な説明】
【技術分野】
【０００１】
本発明は、記録媒体に画像を記録する記録装置に関する。
【背景技術】
【０００２】
特許文献１には、シート供給トレイのシート（記録媒体）を積載する部分に、積載されたシートをシート供給ローラ側に湾曲させる台座が設けられたシート給送装置について記載されている。給送するシートとして、例えば、上質紙などの表面基材の裏面に糊（粘着剤）を介して剥離紙が貼り付けられてなるラベル紙（記録媒体）を採用した場合、表面基材と剥離紙は、水分含有量、蒸発率、伸縮率などが異なるため、ラベル紙の幅方向中央が剥離紙側に凸となるようにカールすることがある。このようなラベル紙であっても、このシート給送装置においては、シート供給トレイに台座が設けられているので、ラベル紙のカールを矯正しつつ給送することが可能となる。
【先行技術文献】
【特許文献】
【０００３】
【特許文献１】特開２０００−１４３００２号公報
【発明の概要】
【発明が解決しようとする課題】
【０００４】
しかしながら、上記特許文献１に記載のシート給送装置においては、台座の表面が１つの湾曲凸面となっており、台座によって湾曲したシート上に、シート供給ローラが水平に配置されているため、シート供給ローラの内側（台座中央に近い側）が外側よりも摩耗しやすい。つまり、シート供給ローラに偏摩耗が生じやすい問題がある。
【０００５】
本発明の目的は、記録媒体の表面のカールを矯正すると共に給送ローラの偏摩耗を抑制することが可能な記録装置を提供することである。
【課題を解決するための手段】
【０００６】
本発明の記録装置は、積層された複数の記録媒体を積層方向下方から支持可能な支持面を有するトレイと、前記トレイに支持された複数の記録媒体のうち最も上方に配置された記録媒体と当接しつつ回転することで当該記録媒体を給送する給送ローラと、前記給送ローラと当接する記録媒体の表面を上に向けた状態で、前記給送ローラによって給送されてきた記録媒体を搬送する搬送部と、前記搬送部から搬送されてきた記録媒体の前記表面に画像を記録する記録部とを備えた記録装置において、前記支持面には、記録媒体の給送方向と直交する幅方向の中央が前記支持面から離れる方向に膨らんだ凸形状となるように記録媒体を湾曲させる湾曲形成部が形成されており、前記湾曲形成部は、前記給送ローラの外周面と対向する部分に当該外周面と平行な平面部分を有している。
【発明の効果】
【０００７】
本発明の記録装置によると、湾曲形成部によって記録媒体が凸状に湾曲した状態となる。このため、記録媒体として、例えば、ラベル紙を採用しても、記録面としての表面のカールを矯正することが可能となる。また、湾曲形成部が、給送ローラの外周面と平行な平面部分を有しているため、記録媒体を給送ローラと湾曲形成部の平面部分とで挟んだ状態で給送ローラを回転させることで、記録媒体を給送可能となる。したがって、給送ローラの偏摩耗を抑制することが可能となる。
【図面の簡単な説明】
【０００８】
【図１】本発明の一実施形態に係るプリンタの内部構造を示す概略側面図である。
【図２】図１に示す給送トレイの要部平面図である。
【図３】図２に示すIII−III線に沿った断面図である。
【図４】図１に示す給送機構の概略構成図である。
【図５】制御装置のブロック図である。
【図６】変形例である給送トレイの要部平面図である。
【図７】図６に示すVII−VII線に沿った断面図である。
【発明を実施するための形態】
【０００９】
以下、本発明の一実施形態に係る記録装置としてのプリンタ１について説明する。プリンタ１は、図１に示すように、給送部１０と、搬送部２０と、記録部３０と、記録部３０と対向するプラテン４０と、加熱機構５０と、搬送ガイド６１〜６４と、排紙トレイ（不図示）と、制御装置１００とを含む。プリンタ１は、用紙Ｐの記録面（表面）Ｐ１を上に向けた状態で給送部１０から図１中右方に用紙Ｐを搬送しつつ、記録部３０で用紙Ｐの表面に画像を記録する。記録部３０は、例えば、インクジェット記録方式の構成を有し、制御装置１００の制御により、用紙Ｐに画像を記録する。プラテン４０は、搬送部２０によって搬送されてきた用紙Ｐを下方から支持する。
【００１０】
給送部１０は、図１に示すように、給送トレイ１１と、用紙Ｐを給送方向Ａ（図１中矢印Ａ方向）に給送する給送機構８０とを含む。給送トレイ１１は、図１〜図３に示すように、積層された複数の用紙Ｐを積層方向下方から支持可能な支持面１２を有する底部１３と、支持面１２に支持された用紙Ｐの幅方向Ｂ（図２中矢印Ｂ方向であって給送方向Ａと直交する方向）の両端を案内するためのサイドガイド１４と、支持面１２に支持された用紙Ｐの前端を案内する前端案内部１５とを有している。なお、図２及び図３には、説明の便宜上、後述の給送ローラ８１，８２を二点鎖線で描いている。
【００１１】
底部１３は、図２及び図３に示すように、給送方向Ａに長尺な長方形平面形状を有する平板１３ａと、平板１３ａの上面１３ａ１から上方に突出した突出部１３ｂとを有する。突出部１３ｂは、図２に示すように、上面１３ａ１の幅方向Ｂの中央において、給送方向Ａに長尺に延在している。突出部１３ｂの上面１３ｂ１は、２つの傾斜平面１３ｂ２，１３ｂ３から構成されている。これら２つの傾斜平面（傾斜面、平面部分）１３ｂ２，１３ｂ３は、上面１３ｂ１の幅方向Ｂの中央を挟んで両側に形成されている。傾斜平面１３ｂ２は、図２に示すように、幅方向Ｂにおいて、上面１３ｂ１の中央から左方に配置されている。傾斜平面１３ｂ３は、幅方向Ｂにおいて、上面１３ｂ１の中央から右方に配置されている。これら２つの傾斜平面１３ｂ２，１３ｂ３は、上面１３ｂ１の中央から外側に向かうに連れて平板１３ａに近づいている。このような突出部１３ｂの上面１３ｂ１と、幅方向Ｂにおいて突出部１３ｂを挟む平板１３ａの上面１３ａ１とで、用紙Ｐを下方から支持する支持面１２が構成されている。そして、支持面１２を構成する上面１３ｂ１が、図３に示すように、用紙Ｐの幅方向Ｂの中央が支持面１２から離れる方向（すなわち、上方）に膨らんだ凸形状となるように用紙Ｐを湾曲させる湾曲形成部として構成されている。換言すると、湾曲形成部は、図２及び図３に示すように用紙Ｐを凸形状に湾曲させるために互いに反対方向に傾斜した２つの傾斜平面１３ｂ２，１３ｂ３により、構成されている。
【００１２】
サイドガイド１４は、図３に示すように、平板１３ａの上面１３ａ１に立設された第１ガイド部１４ａと、第１ガイド部１４ａの内面から突出し支持面１２と離隔しつつ対向する第２ガイド部１４ｂとを有する。第１ガイド部１４ａは、図２に示すように、平板１３ａの幅方向Ｂの両端において、給送方向Ａの全長に亘って形成されている。第２ガイド部１４ｂの下面（支持面１２と対向する面）１４ｂ１は、図３に示すように、幅方向Ｂにおいて、内側に近づくに連れて上面１３ａ１（支持面１２）から離れるように傾斜している。また、第２ガイド部１４ｂは、図２に示すように、給送方向Ａにおいて、給送機構８０の後述する２つの給送ローラ８１ａ，８１ｂよりも上流側に配置されている。第２ガイド部１４ｂは、給送方向Ａに長尺に形成されている。
【００１３】
前端案内部１５は、図１に示すように、底部１３の下端から図１中右方に延在した平板部材から構成されている。前端案内部１５の上面１５ａは、前端案内部１５の右端が左端よりも上に配置されるように、やや上向きに傾斜している。そして、前端案内部１５は、支持面１２に支持された複数の用紙Ｐの前端を支持するとともに、給送機構８０によって給送される用紙Ｐの前端が搬送ガイド６１に向かうように案内する。
【００１４】
給送機構８０は、図４に示すように、２つの給送ローラ８１，８２と、これら給送ローラ８１，８２を支持する支持アーム８３と、２つの給送ローラ８１，８２に回転力を伝達する伝達機構８５とを含む。２つの給送ローラ８１，８２は、ともに同じ構成からなり、円柱部８１ａ，８２ａと、軸部材８１ｂ，８２ｂとを有する。軸部材８１ｂ，８２ｂは、円柱部８１ａ，８２ａの中心を貫通して配置され、円柱部８１ａ，８２ａに固定されている。また、軸部材８１ｂ，８２ｂの幅方向Ｂの内側端部には、傘歯ギア８１ｂ１，８２ｂ１が固定されている。
【００１５】
支持アーム８３は、その上端部がプリンタ１の図示しない筐体により、回動可能に支持されている。また、支持アーム８３の下端部には、２つの給送ローラ８１，８２が回転可能に支持されている。支持アーム８３は、図示しない付勢機構により、２つの給送ローラ８１，８２が支持面１２に近づく方向に付勢されている。また、支持アーム８３は、図３に示すように、給送ローラ８１の外周面８１ａ１が当該外周面８１ａ１と垂直な方向に対向する傾斜平面１３ｂ２と平行な状態で回転可能なように、給送ローラ８１を支持している。支持アーム８３は、給送ローラ８２の外周面８２ａ１が当該外周面８２ａ１と垂直な方向に対向する傾斜平面１３ｂ３と平行な状態で回転可能なように、給送ローラ８２を支持している。また、支持アーム８３は、図２に示すように、給送ローラ８１の回転軸Ｇ１及び給送ローラ８２の回転軸Ｇ２が互いに隣接する内側端（一端）が外側端（他端）よりも若干給送方向Ａの下流側に位置するように、２つの給送ローラ８１，８２を支持している。
【００１６】
伝達機構８５は、支持アーム８３に回転可能に支持された３本の軸部材８６〜８８を有している。軸部材８６は、給送モータ１０Ｍ（図５参照）の動力が伝達されて軸周り方向に回転する。軸部材８６は、支持アーム８３の上端部分に幅方向Ｂと平行に支持されている。軸部材８６には、２つの傘歯ギア８６ａ，８６ｂが固定されている。２つの軸部材８７，８８は、支持アーム８３の幅方向Ｂの中央部分に幅方向Ｂと直交する方向と平行に配置され、軸周り方向に回転可能に支持されている。これら軸部材８７，８８の両端には、２つの傘歯ギア８７ａ，８７ｂ，８８ａ，８８ｂが固定されている。傘歯ギア８７ａは傘歯ギア８６ａに噛み合い、傘歯ギア８７ｂは傘歯ギア８１ｂ１に噛み合う。傘歯ギア８８ａは傘歯ギア８６ｂに噛み合い、傘歯ギア８８ｂは傘歯ギア８２ｂ１に噛み合う。この構成により、伝達機構８５は、給送モータ１０Ｍからの回転力を給送ローラ８１，８２に伝達して、給送ローラ８１，８２を同方向に回転させる。これにより、給送トレイ１１の支持面１２に支持された複数の用紙Ｐのうち、最も上方に配置された用紙Ｐが給送機構８０により給送方向Ａに給送される。
【００１７】
搬送部２０は、図１に示すように、３つの搬送ローラ対２１〜２３と、押圧機構２５とを含む。搬送ローラ対２１は、搬送方向Ｃ（図１中矢印Ｃ方向）において、３つの搬送ローラ対２１〜２３のうち最も上流側に配置されている。搬送ローラ対２１は、下側に配置された駆動ローラ２１ａと上側に配置されたピンチローラ２１ｂとを有する。駆動ローラ２１ａは、伝達機構（不図示）を介してＬＦモータ２０Ｍ（図５参照）の動力が伝達されて回転する。ピンチローラ２１ｂは、駆動ローラ２１ａの回転に伴って連れ回る。駆動ローラ２１ａとピンチローラ２１ｂとは、協働して用紙Ｐを上下方向Ｄから挟持し、用紙Ｐを搬送ローラ対２２へ搬送する。
【００１８】
搬送ローラ対２２は、図１に示すように、搬送ローラ対２１と記録部３０との間に配置されている。搬送ローラ対２２も、下側に配置された駆動ローラ２２ａと上側に配置されたピンチローラ２２ｂとを有する。駆動ローラ２２ａは、伝達機構（不図示）を介してＬＦモータ２０Ｍ（図５参照）の動力が伝達されて回転する。ピンチローラ２２ｂは、駆動ローラ２２ａの回転に伴って連れ回る。駆動ローラ２２ａとピンチローラ２２ｂとは、協働して用紙Ｐを上下方向Ｄから挟持し、用紙Ｐを記録部３０へ搬送する。
【００１９】
搬送ローラ対２３は、搬送方向Ｃにおいて、記録部３０よりも下流側に配置されている。搬送ローラ対２３も下側に配置された駆動ローラ２３ａと、上側に配置された拍車ローラ２３ｂとを有する。駆動ローラ２３ａは、伝達機構（不図示）を介してＬＦモータ２０Ｍの動力が伝達されて回転する。拍車ローラ２３ｂは、駆動ローラ２３ａの回転に伴って連れ回る。駆動ローラ２３ａと拍車ローラ２３ｂとは、協働して用紙Ｐを上下方向Ｄから挟持し、用紙Ｐを排紙トレイに搬送する。
【００２０】
押圧機構２５は、押圧ローラ２６と、付勢機構２７とを有する。押圧ローラ２６は、搬送ローラ対２１〜２３を構成する各ローラの回転軸と平行であってその直径が各ローラよりも小さなローラから構成されている。また、押圧ローラ２６は、上部が搬送ガイド６２内に配置されるように構成されている。付勢機構２７は、押圧ローラ２６の回転軸を上方に付勢するバネ２７ａを有している。これにより、押圧機構２５は、搬送ガイド６２内において、用紙Ｐを押圧ローラ２６により下方から上方へと上搬送ガイド６２ａ側に押圧することが可能となる。このため、例えば、用紙Ｐとしてラベル紙が採用されても、当該ラベル紙の表面Ｐ１のカールを矯正することが可能となる。
【００２１】
搬送ガイド６１は、給送部１０と搬送ローラ対２１との間に配置されている。また、搬送ガイド６１は、上搬送ガイド６１ａと、上搬送ガイド６１ａと離隔しつつ下方に配置された下搬送ガイド６１ｂとを有しており、給送部１０から給送された用紙Ｐを搬送ローラ対２１へと案内する。上搬送ガイド６１ａには、後述のヒータ５１を配置するための貫通部６１ａ１が形成されている。下搬送ガイド６１ｂには、後述のヒータ５２を配置するための貫通部６１ｂ１が形成されている。これら貫通部６１ａ１，６１ｂ１は、幅方向Ｂに沿って長尺に形成されている。
【００２２】
搬送ガイド６２は、搬送ローラ対２１と搬送ローラ対２２との間に配置されている。また、搬送ガイド６２は、上搬送ガイド６２ａと、上搬送ガイド６２ａと離隔しつつ下方に配置された下搬送ガイド６２ｂとを有しており、搬送ローラ対２１から搬送された用紙Ｐを搬送ローラ対２２へと案内する。下搬送ガイド６２ｂには、押圧ローラ２６が配置可能な貫通部６２ｂ１が形成されている。貫通部６２ｂ１は、幅方向Ｂに沿って長尺に形成されている。
【００２３】
搬送ガイド６３は、搬送ローラ対２２と記録部３０との間に配置されている。また、搬送ガイド６３は、上搬送ガイド６３ａと、上搬送ガイド６３ａと離隔しつつ下方に配置された下搬送ガイド６３ｂとを有しており、搬送ローラ対２２から搬送された用紙Ｐを記録部３０へと案内する。
【００２４】
搬送ガイド６４は、記録部３０と搬送ローラ対２３との間に配置されている。また、搬送ガイド６４は、上搬送ガイド６４ａと、上搬送ガイド６４ａと離隔しつつ下方に配置された下搬送ガイド６４ｂとを有しており、搬送ローラ対２２により記録部３０を通過してきた用紙Ｐを搬送ローラ対２３へと案内する。
【００２５】
加熱機構５０は、２つのヒータ５１，５２を有する。これらヒータ５１，５２は、幅方向Ｂに沿って長尺に形成されており、用紙Ｐの幅方向Ｂの長さとほぼ同じ長さを有している。ヒータ５１は、上搬送ガイド６１ａの貫通部６１ａ１に配置され、ヒータ５２は、下搬送ガイド６１ｂの貫通部６１ｂ１に配置されている。これらヒータ５１，５２は、給送部１０から用紙Ｐが給送される際に、制御装置１００によって制御されて加熱される。このときのヒータ５１，５２の温度制御は、用紙Ｐにあらかじめ生じるカール量に応じて適時制御される。つまり、用紙Ｐとしてラベル紙が用いられる場合、ラベル紙の表面と裏面の水分含有量の差に応じた温度差で制御装置１００によりヒータ５１，５２が制御される。これにより、給送部１０から給送された用紙Ｐは、ヒータ５１，５２間を通過するときに表面及び裏面が適宜加熱され、用紙Ｐの表面のカールを矯正することが可能となる。
【００２６】
図５に示すように、制御装置１００は、ＣＰＵ（Central Processing Unit）、ＲＯＭ（Read Only Memory）、ＲＡＭ（Random Access Memory）、ＡＳＩＣ（Application Specific Integrated Circuit）などを含み、これらが協働して、給送モータ１０Ｍ、ＬＦモータ２０Ｍ、記録部３０、ヒータ５１，５２等の動作を制御する。例えば、制御装置１００は、ＰＣから送信された記録指令に基づいて、給送部１０から用紙Ｐを給送する場合、給送ローラ８１，８２を正回転（用紙Ｐを給送方向Ａに給送する回転方向）させるように給送モータ１０Ｍを制御する。このとき、制御装置１００は、ＬＦモータ２０Ｍ、記録部３０、ヒータ５１，５２も制御し、用紙Ｐのカールを矯正しつつ搬送し、記録部３０で用紙Ｐに画像などを記録させる記録動作が行われる。
【００２７】
以上に述べたように、本実施形態のプリンタ１によると、給送トレイ１１に載置された用紙Ｐは、支持面１２の上面（湾曲形成部）１３ｂ１によって、用紙Ｐが凸状に湾曲した状態で支持される。このため、用紙Ｐとして、例えば、ラベル紙を採用しても、記録面としての表面Ｐ１のカールとは逆方向にラベル紙を湾曲させることができるので、カールを矯正することが可能となる。また、上面１３ｂ１が、給送ローラ８１，８２の外周面と平行な平面部分を有しているため、用紙Ｐを給送ローラ８１，８２と上面１３ｂ１の平面部分（傾斜平面１３ｂ２，１３ｂ３）とで挟んだ状態で給送ローラ８１，８２を回転させることで、用紙Ｐを給送可能となる。したがって、給送ローラ８１，８２の偏摩耗を抑制することが可能となる。
【００２８】
上面１３ｂ１が２つの傾斜平面１３ｂ２，１３ｂ３から構成されている。これにより、２つの傾斜面を有する上面１３ｂ１においても、給送ローラ８１，８２の偏摩耗を抑制することが可能となる。また、２つの傾斜平面１３ｂ２，１３ｂ３が上面１３ｂ１の中央を挟んで両側に配置されている。そして、給送ローラ８１，８２が、これら傾斜平面１３ｂ２，１３ｂ３に個別に対向するように設けられている。これにより、用紙Ｐが給送方向Ａに沿って給送されやすくなる。
【００２９】
２つの給送ローラ８１，８２は、回転軸Ｇ１，Ｇ２の内側端が外側端よりも給送方向Ａの下流側に位置するように配置されている。これにより、用紙Ｐが給送方向Ａに精度よく給送されやすくなる。
【００３０】
サイドガイド１４の第２ガイド部１４ｂの下面１４ｂ１が、幅方向Ｂにおいて、内側に近づくに連れて上面１３ａ１から離れるように傾斜している。これにより、第２ガイド部１４ｂの下面１４ｂ１が、図３に示すように、凸状に湾曲した用紙Ｐに倣いやすくなる。このため、第２ガイド部１４ｂの内側端部が給送トレイ１１に支持された複数の用紙Ｐのうち最も上方に配置された用紙Ｐと接触して傷つけるのを抑制することができる。また、第２ガイド部１４ｂは、給送方向Ａにおいて、２つの給送ローラ８１ａ，８１ｂよりも上流側に配置されている。これにより、用紙Ｐが前端案内部１５に案内されつつ給送される際に、用紙Ｐが第２ガイド部１４ｂに接触するのを抑制することが可能となり、給送時の搬送負荷が低減する。
【００３１】
続いて、上述の第２ガイド部１４ｂに代えて、２つのサイドローラ１１４と、これら２つのサイドローラ１１４を付勢する付勢機構１１５とが設けられた給送トレイ１１１について、図６及び図７を参照しつつ以下に説明する。この変形例における給送トレイ１１１は、２つのサイドローラ１１４と付勢機構１１５が上述の第２ガイド部１４ｂに代えて設けられているだけで、これら以外は上述の給送トレイ１１と同様である。このため、上述の実施形態と同様な構成においては同符号で示し説明を省略する。なお、図６及び図７には、説明の便宜上、後述の給送ローラ８１，８２を二点鎖線で描いている。
【００３２】
本変形例における給送トレイ１１１は、図６及び図７に示すように、２つのサイドローラ１１４と、付勢機構１１５とを有する。２つのサイドローラ１１４は、支持面１２の幅方向Ｂの両端部とそれぞれ対向する位置に配置されている。各サイドローラ１１４は、円筒状の回転部１１４ａと、軸部材１１４ｂとを有する。回転部１１４ａは、軸部１１４ｂに回転可能に支持されている。各サイドローラ１１４は、軸部材１１４ｂが第１ガイド部１４ａに形成された貫通部１４ａ１を貫通して配置されている。貫通部１４ａ１は、図７中上下方向であって上面１３ａ１に垂直な方向に沿って長尺に延在している。これにより、各サイドローラ１１４は、上面１３ａ１に垂直な方向に沿って移動可能に構成されている。
【００３３】
付勢機構１１５は、サイドローラ１１４の軸部材１１４ｂの外側端をそれぞれ支持する２つの支持部１１５ａと、支持部１１５ａを平板１３側に付勢する２つのバネ１１５ｂとで構成されている。バネ１１５ｂの一端は支持部１１５ａに固定され、他端は平板１３ａから幅方向Ｂに部分的に突出した突起部１３ｃに固定されている。また、サイドローラ１１４は、回転部１１４ａの外周面が２つ傾斜平面１３ｂ２，１３ｂ３のうち隣接する傾斜平面１３ｂ２，１３ｂ３と平行となるように、軸部材１１４ｂが傾斜した状態で支持部１１５ａに支持されている。また、２つのサイドローラ１１４は、給送方向Ａにおいて、給送ローラ８１，８２よりも上流に配置されている。
【００３４】
このような給送トレイ１１１においても、サイドローラ１１４が傾いて配置されているため、支持面１２に支持された複数の用紙Ｐに倣いやすくなる。このため、最も上方にある用紙Ｐとサイドローラ１１４とが接触しても、当該用紙Ｐが傷つきにくくなる。また、２つのサイドローラ１１４により、凸状に湾曲した用紙Ｐの幅方向Ｂの両端を押圧することが可能となる。このため、用紙Ｐとして、例えば、ラベル紙を採用しても、記録面としての表面Ｐ１のカールを効果的に矯正することが可能となる。また、サイドローラ１１４が、給送方向Ａにおいて、給送ローラ８１，８２よりも上流に配置されているため、上述の実施形態と同様に、用紙Ｐの給送時の搬送負荷が低減する。
【００３５】
以上、本発明の好適な実施の形態について説明したが、本発明は上述の実施の形態に限られるものではなく、特許請求の範囲に記載した限りにおいて様々な変更が可能なものである。例えば、突出部１３ｂの上面（湾曲形成部）１３ｂ１は、支持面１２に載置された用紙Ｐを凸状に湾曲させることが可能に形成されておれば、給送ローラ８１，８２と対向する領域にだけ傾斜平面１３ｂ２，１３ｂ３が形成された傾斜面または湾曲面から構成されていてもよい。また、上面１３ｂは、２つの傾斜平面１３ｂ２，１３ｂ３から構成されているが、幅方向Ｂの中央に配置された水平面と、その水平面の両側に配置された２つの傾斜面とで構成されていてもよい。この場合、給送ローラ８１，８２は水平面と対向する位置に配置されていてもよい。また、給送ローラ８１，８２と対向する部分に平面をそれぞれ有する突出部が、平板１３ａの幅方向Ｂの中央を挟んだ両側に互いに離隔して形成されていてもよい。
【００３６】
上述の給送ローラ８１，８２は、回転軸が傾斜平面１３ｂ２，１３ｂ３と平行になるように配置されていたが、給送ローラ８１，８２の円柱部８１ａ，８２ａに対応する部分が円錐台形状に形成され、外周面が傾斜平面１３ｂ２，１３ｂ３に平行に配置されていてもよい。こうすれば、回転軸を傾ける必要がなくなり、２つの給送ローラの回転軸部材を共通にすることが可能となる。また、給送ローラ８１，８２は、１つだけ設けられていてもよいし、３以上設けられていてもよい。
【００３７】
上述の押圧機構２５は、押圧ローラ２６及び付勢機構２７から構成されているが、用紙Ｐを下方から押圧することが可能な構成であれば、特に限定するものではない。また、加熱機構５０は、ヒータ５１，５２の一方のみ設けられていてもよい。
【符号の説明】
【００３８】
１  プリンタ（記録装置）
１１，１１１  給送トレイ
１２  支持面
１３ｂ１  上面（湾曲形成部）
１３ｂ２，１３ｂ３  傾斜平面（傾斜面、平面部分）
１４  サイドガイド
１４ａ  第１ガイド部
１４ｂ  第２ガイド部
１４ｂ１  下面
２０  搬送部
２５  押圧機構
３０  記録部
５０  加熱機構
８１，８２  給送ローラ
８１ａ１，８２ａ１  外周面
１１４  サイドローラ
１１５  付勢機構
Ｇ１，Ｇ２  回転軸
Ｐ  用紙（記録媒体）
Ｐ１  記録面（表面）
【図１】
2020158288.tif 000003
【図２】
2020158288.tif 000004
【図３】
2020158288.tif 000005
【図４】
2020158288.tif 000006
【図５】
2020158288.tif 000007
【図６】
2020158288.tif 000008
【図７】
2020158288.tif 000009